(57)【要約】【課題】  原稿の第一面と第二面とで異なる下地色を有する場合であっても、裏写りを正確に判定することができ、誤判定に基く不要な補正による画質の劣化を防ぐことが可能な画像処理装置及び画像形成システムを提供する。【解決手段】  原稿の表側の画像データである第一の画像データ及び原稿の裏側の画像データである第二の画像データを取得する取得部と、第一の画像データの所定領域の色情報である第一の色情報と、当該所定領域の裏側に位置する第二の画像データの領域の色情報である第二の色情報とを取得する色情報取得部と、第一の色情報及び第二の色情報に基き、第一の画像データ及び第二の画像データの裏写りを判定する判定部と、判定部による判定結果に基き第一の画像データ及び第二の画像データを補正した第一の補正画像データ及び第二の補正画像データを生成する補正部とを備えることを特徴とした画像処理装置及び当該画像処理装置を備えた画像形成システム。【選択図】  図２
2015041843.tif 000002
【特許請求の範囲】
【請求項１】
原稿の表側の画像データである第一の画像データ及び原稿の裏側の画像データである第二の画像データを取得する取得部と、
前記第一の画像データの所定領域の色情報である第一の色情報と、当該所定領域の裏側に位置する前記第二の画像データの領域の色情報である第二の色情報とを取得する色情報取得部と、
前記第一の色情報及び前記第二の色情報に基き、前記第一の画像データ及び前記第二の画像データの裏写りを判定する判定部と、
前記判定部による判定結果に基き前記第一の画像データ及び前記第二の画像データを補正した第一の補正画像データ及び第二の補正画像データを生成する補正部とを備える
ことを特徴とする画像処理装置。
【請求項２】
前記色情報取得部は、前記第一の画像データの画素の画素値と当該第一の画像データの画素の裏側に位置する前記第二の画像データの画素の画素値との組み合わせによるヒストグラムを解析し、前記第一の色情報及び前記第二の色情報を取得する
ことを特徴とする請求項１記載の画像処理装置。
【請求項３】
前記第一の画像データ及び前記第二の画像データのプレビュー画面を表示する表示部と、
前記第一の画像データ及び前記第二の画像データのうち何れか一方の画像データの所定領域と、当該所定領域の裏側に位置する他方の画像データの領域を同時に指定する操作部とを更に備え、
前記色情報取得部は、前記操作部を介して指定された二つの領域に対応する画素値を前記第一の色情報及び前記第二の色情報として取得する
ことを特徴とする請求項１記載の画像処理装置。
【請求項４】
前記判定部は、前記第一の画像データの画素の画素値及び前記第一の色情報の差分値と、前記第二の画像データの画素の画素値及び前記第二の色情報の差分値とに基き裏写りの有無を判定する
ことを特徴とする請求項１乃至請求項３の何れか１項記載の画像処理装置。
【請求項５】
前記第一の色情報及び前記第二の色情報は、それぞれ前記第一の画像データ及び前記第二の画像データにおける下地色の情報を含む
ことを特徴とする請求項１乃至請求項４の何れか１項記載の画像処理装置。
【請求項６】
請求項１乃至請求項５の何れか１項記載の画像処理装置と、
前記第一の補正画像データ及び前記第二の補正画像データに基き媒体に色材を用いて印刷画像を形成する画像形成部とを備えることを特徴とする画像形成システム。
【発明の詳細な説明】
【技術分野】
【０００１】
本発明は生成した画像データを補正する画像処理装置及び当該画像処理装置を備えた画像形成システムに関するものである。
【背景技術】
【０００２】
スキャナ等を用いて原稿となる紙媒体等を読み取ることで生成した画像データから、各補正や加工を行う画像処理装置には、原稿の裏側の面の画像が透けて表側の面に現れる裏写りを除去する裏写り除去処理を行う装置がある。
【０００３】
従来のこの種の画像処理装置は、原稿の表側の面（以降、第一面と称する）を読み取ることで生成した第一の画像データと、原稿の第一面の裏側の面（以降、第二面と称する）を読み取ることで生成した第二の画像データとを取得し、第一の画像データと第二の画像データとに対応する位置にある画素の画素値の差分値を算出し、算出した画素値の差分値と所定の閾値と比較することで裏写りを検出し、裏写りが検出された画素の画素値を補正するものであった（例えば、特許文献１参照）。
【先行技術文献】
【特許文献】
【０００４】
【特許文献１】特開２００９−１７７４７９号公報
【発明の概要】
【発明が解決しようとする課題】
【０００５】
しかしながら、従来の装置では、第一の画像データと第二の画像データとの二つの画像データに対応する画素の画素値の差分値の大小で裏写りを判定するため、例えば、第一面と第二面とが異なる下地色であった場合、下地色の差を裏写りとして誤判定し、不要な補正を行うことでより画質が劣化する場合があった。
【０００６】
本発明はこのような実状に鑑みてなされたものであり、本発明の課題は、原稿の第一面と第二面とで異なる下地色を有する場合であっても、裏写りを正確に判定することができ、誤判定に基く不要な補正による画質の劣化を防ぐことが可能な画像処理装置及び画像形成システムを提供することである。
【課題を解決するための手段】
【０００７】
上記課題を解決するために、本発明に係る画像処理装置は、原稿の表側の画像データである第一の画像データ及び原稿の裏側の画像データである第二の画像データを取得する取得部と、前記第一の画像データの所定領域の色情報である第一の色情報と、当該所定領域の裏側に位置する前記第二の画像データの領域の色情報である第二の色情報とを取得する色情報取得部と、前記第一の色情報及び前記第二の色情報に基き、前記第一の画像データ及び前記第二の画像データの裏写りを判定する判定部と、前記判定部による判定結果に基き前記第一の画像データ及び前記第二の画像データを補正した第一の補正画像データ及び第二の補正画像データを生成する補正部とを備えることを特徴としている。
【０００８】
また、本発明に係る画像形成システムは、原稿の表側の画像データである第一の画像データ及び原稿の裏側の画像データである第二の画像データを取得する取得部と、前記第一の画像データの所定領域の色情報である第一の色情報と、当該所定領域の裏側に位置する前記第二の画像データの領域の色情報である第二の色情報とを取得する色情報取得部と、前記第一の色情報及び前記第二の色情報に基き、前記第一の画像データ及び前記第二の画像データの裏写りを判定する判定部と、前記判定部による判定結果に基き前記第一の画像データ及び前記第二の画像データを補正した第一の補正画像データ及び第二の補正画像データを生成する補正部とを備えた画像処理装置と、前記第一の補正画像データ及び前記第二の補正画像データに基き媒体に色材を用いて印刷画像を形成する画像形成部とを備えることを特徴としている。
【発明の効果】
【０００９】
本発明によれば、原稿の第一面と第二面とで異なる下地色を有する場合であっても、裏写りを正確に判定することができ、誤判定に基く不要な補正による画質の劣化を防ぐことが可能な画像処理装置及び画像形成システムを提供することができる。
【図面の簡単な説明】
【００１０】
【図１】第１の実施形態における複合機の外観を説明する斜視図である。
【図２】第１の実施形態における複合機の機能構成を説明するブロック図である。
【図３】全画素についてヒストグラム度数を計数し、Ｘ軸を第一面の輝度値、Ｙ軸を第二面の輝度値、Ｚ軸を第一面の輝度値がｆ、第二面の輝度値がｂである画素の出現頻度とした場合の二次元ヒストグラムをグラフ化した例である。
【図４】第１の実施形態における複合機の具体的動作を説明するフローチャートである。
【図５】図４のステップＳ４０１においてスキャナ部が読取る原稿の一例である。
【図６】図４のステップＳ４０２において位置補正部により生成された位置補正画像データの一例である。
【図７】第２の実施形態における複合機の機能構成を説明するブロック図である。
【図８】第２の実施形態における複合機の具体的動作を説明するフローチャートである。
【図９】表示部に表示される表示画像の例を説明する図である。
【発明を実施するための形態】
【００１１】
以下、本発明の実施形態について図面を参照して説明する。なお、本発明は以下の記述に限定されるものではなく、本発明の要旨を逸脱しない範囲において適宜変更可能である。
【００１２】
[第１の実施形態]
図１は、本発明の第１の実施形態に係る画像処理装置を備えた画像形成システムとしての複合機１００の外観を説明する斜視図である。図２は、複合機１００の機能構成を説明するブロック図である。本実施形態に係る複合機１００は、画像処理装置としての画像処理部１０、スキャナ部２０及び画像形成部としてのプリンタ部３０を備える。複合機１００は、スキャナ部２０が原稿を読み取ることで生成した画像データを画像処理部１０が加工や補正等の変換を施し、プリンタ部３０で当該画像データに基く画像を印刷媒体に印刷することが可能となるように構成されている。
【００１３】
スキャナ部２０は、図１に示すように、載置台２１又は自動給紙装置２２の少なくともどちらかを備え、図示せぬ光源、受光素子、信号処理部からなる原稿読取り装置２３を備える。載置台２１に置かれた原稿又は自動給紙装置２２から給紙された原稿には、光源から光が照射される。照射された光は原稿又は図示せぬ反射板によって反射され、その反射光を受光素子が受光することにより画像信号が読み取られる。信号処理部は、例えば、Ａ／Ｄ変換やシューティング補正等の信号処理を画像信号に対して施し、輝度情報のビットマップデータを取得する。
【００１４】
なお、本発明においては、取得したビットマップデータを読取り画像データと称し、原稿の第一面（表側の面）が読取られて生成した第一面読取り画像データＤｆと第二面（裏側の面）が読取られて生成した第二面読取り画像データＤｂとが取得される。すなわち、上記載置台２１又は自動給紙装置２２によりまず第一面が読み取られ、その後原稿を裏返ししてセットした後、同様に第二面を読み取ることで両面の読取り画像データを取得することができる。なお、原稿を裏返してセットする他にも、自動給紙装置２２により第一面を読取り後、自動で原稿を反転させ、第二面を読み取る方法を用いてもよく、また、図示せぬ第二の原稿読取り装置を設け、第一面と第二面を同時に読み取る構成としてもよい。
【００１５】
プリンタ部３０は、例えば、電子写真方式の印刷エンジンを用いることができ、入力された出力画像データに基きトナー色材を用いて印刷媒体に画像を形成する。
【００１６】
表示部４０は、複合機１００の装置状態や、スキャナ部２０により読み取られて生成した読取り画像データ等を表示可能な液晶画面等を備える。操作部５０は、複合機１００に対するユーザの指示入力を受け付けるためのスイッチやボタン等を備える。なお。表示部４０と操作部５０とは液晶表示による画面とスイッチとが一体化されたタッチパネル等を用いてもよい。
【００１７】
次に、図２において、画像処理部１０は、記憶部２０２と、位置補正部２０３と、ヒストグラム生成部２０４と、色情報取得部としての基準画素値検出部２０５と、判定部としての裏写り判定部２０６と、補正部としての裏写り補正部２０７とを備え、取得部としての読取り部２０１を有するスキャナ部２０と、印刷部２０８を有するプリンタ部３０とに接続されて複合機１００を構成している。
【００１８】
読取り部２０１は、スキャナ部２０により原稿となる紙媒体に形成された第一面の画像と、その裏側の面にあたる第二面の画像とのビットマップデータをそれぞれ第一面読取り画像データＤｆ及び第二面読取り画像データＤｂとして読取り、画像処理部１０の記憶部２０２に格納させる。
【００１９】
記憶部２０２は、例えば、ＲＡＭ（Random Access Memory）やＨＤＤ（Hard Disk Drive）といった書き換え可能な記憶装置で構成することができ、前述した第一面読取り画像データＤｆ及び第二面読取り画像データＤｂ、後述する第一面位置補正画像データＤＸｆ及び第二面位置補正画像データＤＸｂ、第一面基準画素値Ｅｆ及び第二面基準画素値Ｅｂ、第一面裏写り補正画像データＤＯｆ及び第二面裏写り補正画像データＤＯｂを格納する。
【００２０】
位置補正部２０３は、記憶部２０２に格納された第一面読取り画像データＤｆ及び第二面読取り画像データＤｂから原稿の傾き等を補正し、第一面と第二面との位置の整合をとった第一面位置補正画像データＤＸｆ及び第二面位置補正画像データＤＸｂを生成し、記憶部２０２に格納させる。
【００２１】
ヒストグラム生成部２０４は、記憶部２０２に格納された第一面位置補正画像データＤＸｆ及び第二面位置補正画像データＤＸｂを読込み、それぞれの画像データの対応する位置の画素の画素値から、二次元ヒストグラムを作成する。ここで、第二面は第一面の裏側の画像であるため、第一面位置補正画像データＤＸｆのある座標に対応する位置の画素とは、第二面位置補正画像データＤＸｂを左右反転させたときに同じ座標となる位置の画素となる。
【００２２】
例えば、第一面位置補正画像データＤＸｆの左上の画素の輝度値が２４２、第二面位置補正画像データＤＸｂの右上の画素の輝度値が１６５の場合、Ｆｒｏｎｔ＝２４２かつＢａｃｋ＝１６５のヒストグラム度数をインクリメントする。図３は、全画素についてヒストグラム度数を計数し、Ｘ軸を第一面の輝度値（Ｆｒｏｎｔ：０〜２５５）、Ｙ軸を第二面の輝度値（Ｂａｃｋ：０〜２５５）、Ｚ軸を第一面の輝度値がｆ、第二面の輝度値がｂである画素の出現頻度（Ｈｉｓｔｇｒａｍ［ｆ］［Ｂ］：０％〜１００％）とした場合の二次元ヒストグラムをグラフ化した例である。
【００２３】
基準画素値検出部２０５は、ヒストグラム生成部２０４で作成されたヒストグラムを参照し、第一面基準画素値Ｅｆ及び第二面基準画素値Ｅｂを検出する。ここで、第一面基準画素値Ｅｆ及び第二面基準画素値Ｅｂは、第一面及び第二面の下地色の輝度値として検出される値であり、図３における第一面の輝度値（Ｆｒｏｎｔ）及び第二面の輝度値（Ｂａｃｋ）のうちヒストグラムの最頻値をもつ輝度値とする。基準画素値検出部２０５は、検出した第一面基準画素値Ｅｆ及び第二面基準画素値Ｅｂを記憶部２０２に格納させる。
【００２４】
裏写り判定部２０６は、記憶部２０２に格納された第一面位置補正画像データＤＸｆ及び第二面位置補正画像データＤＸｂの対応する位置の画素の画素値を読込み、これと、同じく記憶部２０２に格納されている第一面基準画素値Ｅｆ及び第二面基準画素値Ｅｂを比較することで、裏写りの有無を判定する。そして、裏写り判定部２０６は、読込んだ第一面位置補正画像データＤＸｆ及び第二面位置補正画像データＤＸｂの対応する位置の画素の画素値と、裏写り判定結果を裏写り補正部２０７に出力する。
【００２５】
裏写り補正部２０７は、裏写り判定部２０６から出力された裏写り判定結果に基き、第一面位置補正画像データＤＸｆ及び第二面位置補正画像データＤＸｂの対応する位置の画素の画素値をそれぞれ補正し、補正結果を第一面裏写り補正画像データＤＯｆ及び第二面裏写り補正画像データＤＯｂとして記憶部２０２に格納させる。
【００２６】
印刷部２０８は、プリンタ部３０によりトナー色材を用いて印刷媒体上に画像を形成する。
【００２７】
次に、本実施形態に係る画像処理部１０を備えた複合機１００の具体的動作について図４のフローチャートを用いて説明する。
【００２８】
まず、ステップＳ４０１において、スキャナ部２０は、原稿の第一面及び第二面の画像データをそれぞれ第一面読取り画像データＤｆ及び第二面読取り画像データＤｂとして取得し、記憶部２０２に格納させる。
【００２９】
次に、位置補正部２０３は、記憶部２０２に格納された第一面読取り画像データＤｆ及び第二面読取り画像データＤｂから原稿の傾きを補正し、位置の整合をとった第一面位置補正画像データＤＸｆ及び第二面位置補正画像データＤＸｂを生成し、これを記憶部２０２に格納させる。なお、位置画像補正の方法は公知の技術を用いることができ、例えば、特許公報第５０１７４３１号に開示された技術を用いることで補正画像を生成することができる（ステップＳ４０２）。
【００３０】
そして、ステップＳ４０３において、ヒストグラム生成部２０４は、記憶部２０２に格納された第一面位置補正画像データＤＸｆ及び第二面位置補正画像データＤＸｂを読込み、それぞれの画像データの対応する位置の画素の画素値から、二次元ヒストグラムを作成する。ヒストグラム生成部２０４は、例えば、二つの画像データの画像幅ピクセル数をｗ、画像高さピクセル数をｈとした場合、第一面位置補正画像データＤＸｆの参照画素座標を（ｘ，ｙ）、（０≦ｘ≦ｗ−１，０≦ｙ≦ｈ−１）、第二面位置補正画像データＤＸｂの参照画素座標を第一面の左右反転位置である（ｗ−ｘ−１，ｙ）とし、それぞれの参照画素の画素値ｆ＝ＤＸｆ[ｘ][ｙ]、ｂ＝ＤＸｂ[ｗ−ｘ−１][ｙ]に応じて二次元ヒストグラム（Ｈｉｓｔｏｇｒａｍ［ｆ］［ｂ］）をインクリメントする。これをｘ，ｙの組み合わせ全てで繰り返し、全ての画素について計数する。
【００３１】
次に、基準画素値検出部２０５は、ヒストグラム生成部２０４により作成された二次元ヒストグラムを参照し、第一面基準画素値Ｅｆ及び第二面基準画素値Ｅｂを検出する（ステップＳ４０４）。ここで、基準画素値検出部２０５が検出する基準画素値について図３、図５及び図６を用いて説明する。
【００３２】
図５は、ステップＳ４０１においてスキャナ部２０が読取る原稿の一例であり、図５（ａ）は原稿の第一面５００を、図５（ｂ）は原稿の第二面５１０をそれぞれ表している。原稿の第一面５００は、下地色部５０１と、下地色よりもやや輝度の低い文字部５０２の要素からなる。一方、原稿の第二面５１０は、下地色部５１１と、下地色よりも輝度の低い文字部５１２の要素からなる。
【００３３】
図６は、ステップＳ４０２において位置補正部２０３により生成された位置補正画像データの一例であり、図６（ａ）は第一面位置補正画像データＤＸｆ６００を、図５（ｂ）は第二面位置補正画像データＤＸｂ６１０をそれぞれ表している。第一面位置補正画像データＤＸｆ６００は、原稿の第一面５００と同様に、下地色部６０１（例えば、輝度値２４２）と、下地色よりもやや輝度の低い文字部６０２（例えば、輝度値２１６）とがあり、さらに、原稿の第二面５１０の画像の文字部５１２が透過し第一面の下地色部５０１の裏写りとなった領域６０３（例えば、輝度値２０４）と、同じく原稿の第二面５１０の画像の文字部５１２が透過し第一面の文字部５０２の裏写りとなった領域６０４（例えば、輝度値１９１）の要素からなる。そして、第二面位置補正画像データＤＸｂ６１０は、原稿の第二面５１０と同様に下地色部６１１（例えば、輝度値１６５）と、下地色よりも輝度が低い文字部６１２（例えば、輝度値７６）の要素からなる。ここで、原稿の第一面５００の文字部５０２は輝度が高いことから、その裏側に当る画素６１３及び画素６１４には画素の透過による裏写りは発生していない状態を表している。
【００３４】
図６で表した位置補正画像データに対応する画素の画素値をヒストグラム化にしたものが図３に示したヒストグラムである。一般的に、下地部は画素内において最も広い領域を有することから、図３に示すヒストグラムの最も頻度の高い部分は、第一面及び第二面ともに下地部であると判断される。そこで、基準画素値検出部２０５は、ヒストグラムの最頻値を持つときの第一面の輝度値Ｅｆ及び第二面の輝度値Ｅｂを（例えば、Ｅｆ＝２４２，Ｅｂ＝１６５）、それぞれ第一面基準画素値Ｅｆ及び第二面基準画素値Ｅｂとして検出し、記憶部２０２に格納させる。
【００３５】
再び図４に戻り、ステップＳ４０５において、裏写り判定部２０６は、記憶部２０２に格納された第一面位置補正画像データＤＸｆ及び第二面位置補正画像データＤＸｂの対応する位置のそれぞれの１画素の画素値を順次読込み、これと記憶部２０２に格納された第一面基準画素値Ｅｆ及び第二面基準画素値Ｅｂとを比較することにより、裏写りを判定する。例えば、裏写り判定部２０６が、ｉ番目（１≦ｉ≦ｗ＊ｈ）に読込んだ第一面位置補正画像データＤＸｆの画素値をｆｉ、第二面位置補正画像データＤＸｂの画素値をｂｉとする。裏写り判定部２０６は、読込んだ画素値ｆｉと第一面基準画素値Ｅｆとの差の絶対値ＡＢＳｆ＝｜ｆｉ−Ｅｆ｜及び読込んだ画素値ｂｉと第二面基準画素値Ｅｂとの差の絶対値ＡＢＳｂ＝｜ｆｂ−Ｅｂ｜を算出し、それぞれの差の絶対値と所定の閾値との大きさを比較する。
【００３６】
ここで、ＡＢＳｆ＜ＴＨ１且つＡＢＳｂ＜ＴＨ１の場合（例えば、ＴＨ１＝５）、裏写り判定部２０６は、第一面、第二面ともに下地色と判断し、裏写りなしと判定する。これは、例えば、図６において、第一面位置補正画像データＤＸｆ６００の下地色部６０１及び第二面位置補正画像データＤＸｂ６１０の下地色部６１１に相当する。
【００３７】
また、ＴＨ１≦ＡＢＳｆ且つＡＢＳｂ＜ＴＨ１の場合、裏写り判定部２０６は、第一面は前景画像だが第二面は下地色と判断し、裏写りなしと判定する。例えば、図６において、第一面位置補正画像データＤＸｆ６００の文字部６０２及び第二面位置補正画像データＤＸｂ６１０の画素６１３に相当する。
【００３８】
同様に、ＡＢＳｆ＜ＴＨ１且つＴＨ１≦ＡＢＳｂの場合、裏写り判定部２０６は、第二面は前景画像だが第一面は下地色と判断し、裏写りなしと判定する（図示なし）。
【００３９】
所定の閾値ＴＨ２（ＴＨ１＜ＴＨ２）を用い（例えば、ＴＨ２＝５０）、ＴＨ１≦ＡＢＳｆ＜ＴＨ２且つＴＨ２≦ＡＢＳｂの場合、裏写り判定部２０６は、第一面、第二面とも下地色ではなく、第一面に裏写りありと判定する。例えば、図６において、第一面位置補正画像データＤＸｆ６００の領域６０４及び第二面位置補正画像データＤＸｂ６１０の文字部６１２又は第一面位置補正画像データＤＸｆ６００の領域６０３及び第二面位置補正画像データＤＸｂ６１０の画素６１４に相当する。
【００４０】
また、ＴＨ２≦ＡＢＳｆ且つＴＨ１≦ＡＢＳｂ＜ＴＨ２の場合、裏写り判定部２０６は、第一面、第二面ともに下地色ではなく、第二面に裏写りありと判定し（図示なし）、ＴＨ２≦ＡＢＳｆ且つＴＨ２≦ＡＢＳｂの場合、裏写り判定部２０６は、第一面、第二面ともに下地色ではなく、両面に裏写りありと判定する（図示なし）。
【００４１】
このようにして、裏写り判定部２０６は、ｉ番目に読込んだ画素値ｆｉ及び画素値ｂｉと上記判定結果を裏写り補正部２０７へ出力する。
【００４２】
次に、ステップＳ４０６において、裏写り補正部２０７は裏写り判定部２０６から画素値ｆｉ及び画素値ｂｉと、裏写り判定結果を受け、当該判定結果に基き画素値ｆｉを補正した第一面裏写り補正画像データＤＯｆ及び画素値ｂｉを補正した第二面裏写り補正画像データＤＯｂを記憶部２０２に格納させる。なお、裏写り判定結果が裏写しなしの場合、裏写り補正部２０７は画素値ｆｉ及び補正値ｂｉを補正せずに裏写り補正データＤＯｆ及びＤＯｂとして格納させる。
【００４３】
裏写り判定結果が第一面のみに裏写りあり、又は第二面のみに裏写りあり、若しくは両面裏写りありの場合、裏写り補正部２０７は裏写りがある面のみ画素値を補正する。画素値の補正は、例えばＬＵＴ（ルックアップテーブル）を用いる方法がある。裏写り補正部２０７は、補正する面の画素値（第一面を補正する場合が画素値ｆｉ）及び補正する面と他方の面の画素値（第二面を補正する場合は画素値ｂｉ）を入力とするＬＵＴを用い、その出力値を補正値として裏写り補正画像データ（第一面を補正する場合はＤＯｆ）として記憶部２０２に格納させる。
【００４４】
そして、画像の全画素の裏写り判定及び裏写り補正が終了した（ｉ＝ｗ＊ｈ）場合（ステップＳ４０７  Ｙｅｓ）、処理はステップＳ４０８に移行する。全画素の裏写り判定及び裏写り補正が終了していない（ｉ≠ｗ＊ｈ）場合（ステップＳ４０７  Ｎｏ）、裏写り判定部２０６はｉをインクリメントして処理をステップＳ４０５に戻す。
【００４５】
ステップＳ４０８において、印刷部２０８は、プリンタ部３０によりトナー色材を用いて印刷媒体上に画像を形成する。
【００４６】
以上のように、第１の実施形態によれば、原稿の第一面及び第二面に対応する画素の画素値の組み合わせを二次元ヒストグラムとして生成するヒストグラム生成部と、第一面と第二面との双方が下地色となる領域のそれぞれの画素値を第一面基準画素値及び第二面基準画素値として検出する基準画素値検出部と、基準画素値からの差分で裏写りの判定を行う判定部とを設けることにより、第一面と第二面とで異なる下地色を有する場合であっても、それぞれの下地色を基準値として裏写りを判定できるため、誤判定に基く不要な補正による画質の劣化を防ぐことが可能となる。
【００４７】
[第二の実施形態]
第２の実施形態に係る複合機１００'の外観は、図１で説明した複合機１００と同様であるためここでの説明は省略する。
【００４８】
図７は、複合機１００'の機能構成を説明するブロック図である。本実施形態に係る複合機１００'は、画像処理装置としての画像処理部１０'、スキャナ部２０、及び画像形成部としてのプリンタ部３０を備える。画像処理部１０'は、第１の実施形態に係るヒストグラム生成部２０４に代えて表示画像生成部７０４、基準画素値検出部２０５に代えて色情報取得部としての基準画素値決定部７０５を備える。他の構成は第１の実施形態に係る画像処理部１０と同様であり、第１の実施形態と同一な構成については同一の符号を付してその説明は省略する。
【００４９】
表示画像生成部７０４は、記憶部２０２に格納された第一面位置補正画像データＤＸｆ及び第二面位置補正画像データＤＸｂを読込み、第一面及び第二面の対応する位置を同時に参照及び指定するための表示画像を生成し、表示部４０に出力する。また、操作部５０により後述する下地領域の指定操作がユーザにより行われた場合は、当該指定に基き表示画面を更新する。
【００５０】
表示部４０及び操作部５０は、例えば、液晶画面とタッチセンサによるスイッチを備えたタッチパネルとして構成することができ、表示画像生成部７０４により生成された表示画面を表示するとともに、ユーザからの操作に対応した指示情報を表示画面生成部７０４及び基準画素値決定部７０５に出力する。
【００５１】
基準画素値決定部７０５は、操作部５０を介してユーザにより後述する下地領域の指定操作が行われた場合、指定された領域の第一面の画素値Ｅｆｉ及び第二面の画素値Ｅｂｉを、記憶部２０２に格納された第一面位置補正画像データＤＸｆ及び第二面位置補正画像データＤＸｂより取得し保持する。また、操作部５０を介してユーザにより下地領域決定操作が行われた場合、保持した画素値Ｅｆｉ及び画素値Ｅｂｉを第一面基準画素値Ｅｆ及び第二面基準画素値Ｅｂとして決定し、記憶部２０２に格納させる。
【００５２】
次に、本実施形態に係る画像処理装置１０'を備えた複合機１００'の具体的動作について図８のフローチャートを用いて説明する。なお、第１の実施形態の図４のフローチャートで説明した動作と同一な動作については同一の符号を付してその説明は省略する。
【００５３】
ステップＳ４０２において、位置補正部２０３により位置の整合をとった第一面位置補正画像データＤＸｆ及び第二面位置補正画像データＤＸｂが生成され、記憶部２０２に格納されると、表示画像生成部７０４は、記憶部２０２に格納された第一面位置補正画像データＤＸｆ及び第二面位置補正画像データＤＸｂを読込み、図９に示すような表示画像９００を生成する（ステップＳ８０１）。
【００５４】
メッセージ領域９０１には、ユーザへ第一面の画像及び第二面の画像からそれぞれが下地である領域を指定するよう促す文字メッセージが表示される。画像領域９０２には、読込んだ第一面位置補正画像データＤＸｆを表示する第一面描画領域９０３、第二面位置補正画像データＤＸｂを表示する第二面描画領域９０４、第一面においてユーザにより指定を受けた領域の位置を指し示す第一のカーソル９０５、第二面においてユーザにより指定を受けた領域の位置を指し示す第二のカーソル９０６、指定された領域の第一面の位置の拡大図を表示する第一の拡大図領域９０７及び指定された領域の第二面の位置の拡大図を表示する第二の拡大図領域９０８が表示される。さらに、表示画像９００は、ユーザにより指定された領域を確定するための決定ボタン９０９と、処理の中止を受け付ける中止ボタン９１０とを備える。表示画像生成部７０４が生成した表示画像９００を表示部４０が液晶画面（オペレーション画面）に表示する。
【００５５】
次に、ユーザは、操作部５０であるタッチパネルを用いて、第一面描画領域９０３又は第二面描画領域９０４の領域のうち、第一面、第二面ともに下地である領域として任意の位置を指定する。そして、操作部５０は、指定された領域と座標情報とを表示画面生成部７０４及び基準画素値決定部７０５に出力する（ステップＳ８０２）。ここで、例えば、ユーザにより指定された座標が第一面描画領域９０３の座標（ｘ，ｙ）であった場合、操作部５０は第一面の座標情報として（ｘ，ｙ）を、第二面の座標情報として（ｗ−ｘ−１，ｙ）（ｗは画像幅）を出力する。
【００５６】
そして、表示画像生成部７０４は、ユーザにより指定された描画領域及び座標情報に基き、第一のカーソル９０５の表示位置を（ｘ，ｙ）に、第二のカーソル９０６の表示位置を（ｗ−ｘ−１，ｙ）に変更し、第一の拡大図領域９０７と第二の拡大図領域９０８との表示色を変更する（ステップＳ８０３）。変更された画像は表示部４０により表示される。ステップＳ８０２及びステップＳ８０３において、ユーザが第一面描画領域９０３又は第二面描画領域９０４の何れか一方の領域を指定することで、指定された位置にカーソルが表示されるとともに、自動的に指定された面と他方の面との対応した位置（他方の面は一方の面の左右反転の座標）にカーソルが表示され、拡大図領域にて指定された領域の第一面及び第二面の色情報を同時に確認することができるため、ユーザは簡単な操作での指定が可能となる。
【００５７】
次に、ステップＳ８０４において、基準画素値決定部７０５は、ユーザにより指定された描画領域及び座標情報に基き、記憶部２０２から第一面位置補正画像データＤＸｆの座標（ｘ，ｙ）の画素の画素値を第一面の画素値Ｅｆｉとして保持し、同様に、第二面位置補正画像データＤＸｂの座標（ｗ−ｘ−１，ｙ）の画素の画素値を第二面の画素値Ｅｂｉとして保持する。
【００５８】
そして、ユーザにより決定ボタン９０９が押下された場合（ステップＳ８０５  ＹＥＳ）、操作部５０は下地領域決定情報を基準画素値決定部７０５に出力し、処理はステップＳ８０６に移行する。一方、ユーザにより決定ボタン９０９が押下されていない場合（ステップＳ８０５  ＮＯ）、操作部５０は、ユーザにより中止ボタン９１０が押下されたか否かを確認する。ここで、ユーザにより中止ボタン９１０が押下されると（ステップ８０７  ＹＥＳ）、一連の処理は終了する。一方、ユーザにより中止ボタン９１０が押下されていない場合（ステップ８０７  ＮＯ）、操作部５０の処理はステップＳ８０２に戻る。
【００５９】
ステップＳ８０６において、基準画素値決定部７０５は、操作部５０から入力された下地領域決定情報を取得すると、保持している画素値Ｅｆｉ及び画素値Ｅｂｉを第一面基準画素値Ｅｆ及び第二面基準画素値Ｅｂとして決定し、記憶部２０２に格納させる。
【００６０】
以上のように、第２の実施形態によれば、第一面及び第二面の対応する位置を同時に参照及び指定するための表示画面を生成する表示画面生成部を設けたことにより、ユーザが第一面及び第二面に対応する座標位置の色を簡易に指定することができる。また、指定を受けた領域の画素値を基準画素値とする基準画素値決定部を設けたことにより、ユーザにより指定された第一面及び第二面の下地の色情報を取得することができ、裏写りの判定をより確実に行うことができる。
【００６１】
本実施形態の説明においては、スキャナとプリンタとを備えたカラー複合機としての例を示したが、本発明はこれに限らず複写機、ファクシミリ等の画像処理装置にも適用可能である。
【００６２】
また、本実施形態の説明においては、ヒストグラムの生成時の画素値、裏写り判定や補正における画素値として輝度値を用いているが、これに限らず、モノクロ１チャンネル時の輝度値又は濃度値を用いることができるとともに、ＲＧＢカラー３チャンネル時でも輝度に近いグリーンチャンネルの値を用いたり、明るさ情報と色情報とが独立した色空間（例えば、ＣＩＥＬ＊ａ＊ｂ＊色空間）へ変換する色空間変換部を更に設け、明るさ情報（例えば、Ｌ＊値）を画素値として用いることもできる。また、色情報（例えば、ａ＊ｂ＊値）を用いて、明るさ情報と色情報とをもった基準画素値を決定し、当該明るさ情報と色情報との差分の組み合わせにより裏写りを判定する方法を用いてもかわまない。
【００６３】
さらに、本実施形態の説明においては、スキャナ部における読取りにより原稿の画像データを取得する構成について説明したが、事前に原稿の第一面及び第二面を読取り、ＨＤＤやＵＳＢメモリ等の可搬記憶媒体に保存した画像データを取得する構成としてもかまわない。さらにまた、本実施形態の説明においては、プリンタ部により印刷媒体に画像（トナー像）を印刷する画像形成装置の例について説明したが、裏写り補正画像データをＨＤＤやＵＳＢメモリ等の可搬記憶媒体に保存したり、ネットワークを介してＰＣ等にＥメール送信する構成としてもよい。
【符号の説明】
【００６４】
１０，１０'  画像処理部
２０  スキャナ部
２１  載置台
２２  自動給紙装置
２３  原稿読取り装置
３０  プリンタ部
４０  表示部
５０  操作部
２０１  読取り部
２０２  記憶部
２０３  位置補正部
２０４  ヒストグラム生成部
２０５  基準画素値検出部
２０６  裏写り判定部
２０７  裏写り補正部
２０８  印刷部
７０４  表示画像生成部
７０５  基準画素値決定部
【図１】
2015041843.tif 000003
【図２】
2015041843.tif 000004
【図３】
2015041843.tif 000005
【図４】
2015041843.tif 000006
【図５】
2015041843.tif 000007
【図６】
2015041843.tif 000008
【図７】
2015041843.tif 000009
【図８】
2015041843.tif 000010
【図９】
2015041843.tif 000011